(57)【特許請求の範囲】
【請求項１】
外箱内に配設された水槽と、
この水槽内にほぼ水平方向に指向する軸を中心に回転可能に配設されたドラムと、
このドラムの胴部に、当該胴部に形成された開口部を開閉するように当該ドラムに設けられた回動支点を中心に回動可能に設けられたドラム蓋と、
前記水槽の上部に、当該水槽に形成された開口部を開閉するように設けられた内蓋とを備えたものにおいて、
前記ドラム蓋を閉鎖する駆動力を出力する駆動源を前記内蓋に備えると共に、この駆動源の駆動力を受けて前記ドラム蓋方向へ動作する閉鎖部材を前記内蓋に備え、前記駆動源の駆動力を前記閉鎖部材を介して前記ドラム蓋に伝達し該ドラム蓋を前記回動支点を中心に回動させて自動閉鎖させる自動閉鎖手段を設けたことを特徴とするドラム式洗濯機。
【請求項２】
駆動源は、モータであることを特徴とする請求項１記載のドラム式洗濯機。
【請求項３】
駆動源は内蓋の回動軸の近傍に設けられていることを特徴とする請求項１記載のドラム式洗濯機。
【請求項４】
モータのリード線は内蓋の回動軸部分から外部に導出される構成としたことを特徴とする請求項２記載のドラム式洗濯機。
【発明の詳細な説明】
【技術分野】
【０００１】
本発明は、ドラムを収容する水槽の上部に内蓋を有するいわゆるトップオープンタイプのドラム式洗濯機に関する。
【背景技術】
【０００２】
従来、この種のドラム式洗濯機には、外箱内に配設された水槽の内部に、ほぼ水平方向に指向する軸を中心に回転可能にドラムを設け、このドラムの胴部に、当該胴部に形成された開口部を開閉するようドラム蓋を設け、前記水槽の上部に、当該水槽に形成された開口部を開閉するように内蓋を設けた構成としたものがある。そして、上記ドラム蓋はドラムの胴部に沿ってスライドにより開口部を開閉し、また内蓋は一端が回動可能に設けられて上下回動により開口部を開閉する構成としている（例えば特許文献１）。
【特許文献１】特表２００２−５２９１７３号公報
【発明の開示】
【発明が解決しようとする課題】
【０００３】
しかしながら、上記構成のものでは、ドラム蓋及び内蓋を閉める場合に、いずれも、手作業で、閉める操作をしなければならず、面倒であった。また、手作業の場合、力の入れ方によっては、ドラム蓋の閉鎖が不完全となる懸念もあった。
【０００４】
本発明は上記事情に鑑みてなされたものであり、その目的は、ドラム蓋の閉鎖を使用者の手を煩わせることなく行うことができて、実用性が向上し、しかも、ドラム蓋を確実に閉鎖できるドラム式洗濯機を提供するにある。
【課題を解決するための手段】
【０００５】
本発明は、外箱内に配設された水槽と、
この水槽内にほぼ水平方向に指向する軸を中心に回転可能に配設されたドラムと、
このドラムの胴部に、当該胴部に形成された開口部を開閉するように当該ドラムに設けられた回動支点を中心に回動可能に設けられたドラム蓋と、
前記水槽の上部に、当該水槽に形成された開口部を開閉するように設けられた内蓋とを備えたものにおいて、
前記ドラム蓋を閉鎖する駆動力を出力する駆動源を前記内蓋に備えると共に、この駆動源の駆動力を受けて前記ドラム蓋方向へ動作する閉鎖部材を前記内蓋に備え、前記駆動源の駆動力を前記閉鎖部材を介して前記ドラム蓋に伝達し該ドラム蓋を前記回動支点を中心に回動させて自動閉鎖させる自動閉鎖手段ところに特徴を有する。
【発明の効果】
【０００６】
この発明によれば、ドラム蓋を手作業でなく、自動閉鎖手段によって閉鎖するから、ドラム蓋の閉鎖を使用者の手を煩わせることなく行うことができて、実用性が向上し、しかも、ドラム蓋を確実に閉鎖できる。
【発明を実施するための最良の形態】
【０００７】
以下、本発明の第１の実施例につき図１ないし図１４を参照して説明する。まず、図２及び図３において、外箱１は、外箱主体部２と前板３とから構成されている。この外箱１の上部には、トップカバー４が装着されている。このトップカバー４には、洗濯物出入口５を開閉する外蓋たる洗濯蓋６が設けられている。この洗濯蓋６は前蓋部６ａと後蓋部６ａとで二つ折りタイプの構成となっている。トップカバー４の右前部には操作パネル７が設けられている。
【０００８】
外箱１の内部には、ドラム状をなす水槽８がダンパ装置９を介して設けられている。この水槽８には上部からやや前部にかけて開口部８ａが形成されており、この開口部８ａは内蓋１０により開閉されるようになっている。この内蓋１０は蓋外板１１と蓋内板１２とを有して構成されており、図５及び図６に示すように、蓋内板１２後端部は水槽８に回動軸１２ａ及び軸受部１２ｂにより回動可能に軸支されている。なお軸受部１２ｂは予め蓋内板１２の回動軸１２ａに組み込まれている。また、図６及び図７に示すように、この蓋内板１２には回動軸１２ａと同心軸をなしてリード線導出用の半円状の筒部１２ｄが形成されている。この筒部１２ｄは、図７に示す蓋外板１１の回動中心側に形成された半円状の筒部１１ａと合致して円筒形のリード線導出部１０ａが形成されている。
【０００９】
前記回動軸１２ａには、図５及び図６に示すように、ねじりコイルばね１２ｃが装着されていて、内蓋１０を常時矢印Ａ方向（開放方向）へ回動付勢しており、自由状態では図４に示すように開口部８を開放する状態に保持するようになっている。なお、この内蓋１０の蓋内板１２には２本の突条から成るレール部１２ｅ、１２ｅが突設されている。また、開口部８の前端部には内蓋ロック手段たる内蓋ロック装置１３（後述する）のロック体３７と係合するラッチ１４（図１及び図３参照）が設けられている。
【００１０】
水槽８の内部にはドラム１５がほぼ水平方向を指向する軸を中心に回転可能に設けられている。このドラム１５は図示しないドラム用モータにより回転駆動されるようになっている。このドラム１５は、円筒状をなす胴部１５ａと、この胴部１５ａの軸方向両側に配置された側板１５ｂ（一方のみ図４に示す）とから構成されており、胴部１５ａには図示しないが多数の脱水孔が形成されている。
【００１１】
また、胴部１５ａの一箇所には、洗濯物出し入れ用の開口部１５ｃが形成されている。そして、このドラム１５の胴部１５ａには、上記開口部１５ｃを開閉するためのドラム蓋１６が設けられている。このドラム蓋１６は蓋主板１６ａと補助板１６ｂとを有して構成されている。蓋主板１６ａは図３における回動支点１７を中心に回動し得るように設けられ、補助板１６ｂは回動支点１８を中心に回動し得るように設けられている。そして、この蓋主板１６ａと補助板１６ｂとは、図示しない連動機構により、連動するように構成されていて、図４の状態（ドラム蓋１６開放状態）から、蓋主板１６ａが閉じられると、補助板１６ｂが先に図３の閉鎖位置方向に回動し、その後から蓋主板１６ａが補助板１６ｂ先端に上側から重なるように閉鎖位置に回動するように連動する。また蓋主板１６ａが開放されるときには補助板１６ｂが若干後から開放するように連動する。
【００１２】
そして、蓋主板１６ａは図示しないが矢印Ｂ方向（開放方向）へ回動付勢されており、自由状態では、図４に示す開放位置まで回動する構成となっている。従って補助板１６ｂも図４に示す開放位置まで開放するものである。上記ドラム蓋１６には、図１に示すようにドラム蓋ロック手段１９が設けられている。このドラム蓋ロック手段１９は、蓋主板１６ａに取り付けられた被ロック部材たる被ロック板２０と、補助板１６ｂに取り付けられた形成されたロック部たるロック片２１、２１（図４参照）とから構成されている。前記被ロック板２０には、スリット状の被ロック孔２２、２２（図４にも図示）が形成されている。また、ロック片２１、２１は断面鉤状をなし先端は円弧状をなしている。また、補助板１６ｂにはロック解除受け部２３が取り付けられている。
【００１３】
図１には、ロック片２１に被ロック孔２２が係合してドラム蓋１６が閉鎖状態にロックされた状態を示している。そして、内蓋１０は内蓋ロック装置１３により閉鎖状態にロックされた状態である。内蓋１０には前記内蓋ロック装置１３及びドラム蓋ロック手段１９をロック動作及びロック解除させるためのロック制御機構部たる機構部２５が設けられている。以下、この機構部２５について説明する。ハンドル２６は、基端部材２７と操作部２８とを係合手段２９により連結した構成である。この係合手段２９は、基端部材２７に設けた係合孔２７ａと、操作部２８に設けた爪部２８ａとを有して構成され、爪部２８ａを係合孔２７ａに差し込むことにより、基端部材２７と操作部２８とが一体に連結されている。そして、このハンドル２６には、該ハンドル２６先端部（操作部２８先端）に中空丸棒状の握り部２８ｂが形成されている。従ってハンドル２６は使用者が握り部２８ｂを握って操作できるようになっている。
【００１４】
このハンドル２６は内蓋１０に設けた軸３０を中心として矢印Ｄ方向（内蓋開放方向）に回動するようになっている。そして操作部２８は軸３０部分に設けた図示しないコイルばねにより常に反矢印Ｄ方向に回動付勢されていて、これにより自由状態では図１に示す状態となっている。上記ハンドル２６の基端部材２７の下方部にはレバー３１が内蓋１０に設けた軸３２により回動可能に軸支されており、図示しないばねにより常時矢印Ｅ方向へ回動付勢されている。このレバー３１には長溝３１ａが形成されていて、この長溝３１ａに基端部材２７に形成された凸部２７ｂが摺動可能に嵌合されている。また、このレバー３１には長孔３１ｂが形成されていて、この長孔３１ｂにはドラム蓋ロック解除用のロッド３３の凸部３３ａが摺動可能に嵌合されている。また、このレバー３１の下部（後述のロック解除体３６側となる部位）には係合凸部３１ｃが形成されている。
【００１５】
このロッド３３は、蓋内板１２に形成された挿通筒部３４に反矢印Ｆ方向へ移動可能に挿通されており、このロッド３３の下端部の押し当て部３３ｂは前記ロック解除受け部２３に対向している。このロッド３３の凸部３３ａ近傍部には、張出片部３３ｃが形成されていて、この張出片部３３ｃは、蓋内板１２に立設されたガイド３５と摺接することによりロッド３３の移動がガイドされる。
【００１６】
レバー３１の前方にはロック解除体３６、ロック体３７がそれぞれ蓋内板１２に設けられた軸３８、３９を介して回動可能に設けられており、それぞれ、図示しないばねにより矢印Ｇ、矢印Ｈ方向へ回動付勢されている。内蓋ロック装置１３は、このロック体３７及びロック解除体３６とにより構成されている。ロック解除体３６には、前記レバー３１の係合凸部３１ｃと係合可能な被係合凸部３６ａが形成されていると共に、ストッパ部３６ｂが形成され、さらにピン押し部３６ｃが形成されている。ロック体３７にはロック溝３７ａが形成されていて、図１の状態では、前記ラッチ１４と係合している。さらに、このロック体３７には被ストッパ部３７ｂが形成されていて、図１の状態では、この被ストッパ部３７ｂは前記ロック解除体３６のストッパ部３６ｂに係止されていて、該ロック体３７の矢印Ｈ方向の回動が阻止されている。この結果、ロック体３７とラッチ１４との係合がロックされて、内蓋１０の開放（矢印Ａ方向）が阻止され、すなわち、内蓋１０の閉鎖がロックされている。
【００１７】
さらに、このロック体３７には、ピン４０が移動可能に設けられており、これは図示しないばねにより、常時矢印Ｉ方向へ移動付勢されている。この図１の状態においては、ロック解除体３６のピン押し部３６ｃによって反矢印Ｉ方向へ移動された状態にある。また、水槽８においてラッチ１４の近傍部位には、内蓋閉鎖検知手段としての例えばマイクロスイッチ４１が設けられており、このマイクロスイッチ４１のアクチュエータ４１ａに一端が対向するようにして中間ピン４２が移動可能に設けられている。この中間ピン４２は、図示しないばねにより常時矢印Ｊ方向へ移動付勢されていて、この図１の状態では、ピン４０により反矢印Ｊ方向へ移動して、マイクロスイッチ４１がオンした状態にあり、つまり、内蓋１０閉鎖が検知された状態にある。
【００１８】
一方、前記ロッド３３の後方部には、自動閉鎖手段たるドラム蓋自動閉鎖装置４３が設けられている。このドラム蓋自動閉鎖装置４３について述べる。ドラム蓋１６を閉鎖する閉鎖部材たる複数例えば左右に２つの押し部材４４が、ガイド部４５により矢印Ｋ方向へ移動可能に設けられている。この押し部材４４の下端部に押し当て部４４ａが形成され、上端部にばね受け部４４ｂが形成されている。上記押し当て部４４ａは前記蓋主板１６ａにおける被ロック板２０に対応する先端部分１６ｃに対向している。そして、この押し部材４４はばね４６により常時反矢印Ｋ方向へ移動付勢されており、内蓋１０が閉鎖された状態では、図１の位置にある。
【００１９】
この押し部材４４には、リンク４７が連結されている。このリンク４７は、第１のレバー４８と、これより短い第２のレバー４９とを有して構成されており、第１のレバー４８の一端部は軸５０を介して前記押し部材４４の上部に回動可能に連結されており、他端部は緩衝装置５１のケース５２に軸５３を介して回動可能に連結されている。第２のレバー４９の一端部は蓋内板１２に軸５４を介して回動可能に連結されており、他端部は軸５５を介して第１のレバー４８の軸間距離の１／２の長さ位置に連結されている。つまり、第１のレバー４８の軸間距離に対して第２のレバー４９の軸間距離は１／２である。しかして、このようなリンク４７の構成によると、第１のレバー４８の他端部が矢印Ｌ方向（反矢印Ｌ方向は後述するモータ５９の駆動力の作用方向である）へ移動されると、第１のレバー４８の一端部はその矢印Ｌ方向と垂直な矢印Ｋ方向へ移動するものである。
【００２０】
前記緩衝装置５１は、矩形箱状をなす前記ケース５２と、ロッド５６と、圧縮コイルばねからなるばね５７とを備えて構成されている。ロッド５６の一端部にはばね受部５６ａが形成され、さらに、このばね受部５６ａの一部には、ケース５２外に突出するアクチュエータ作動部５６ｂ（図６参照）が形成されている。また、このロッド５６の他端部５６ｃは、ケース５２から突出している。前記ばね５７は前記ばね受部５６ａとケース５２の内面との間に圧縮状態で設けられている。
【００２１】
この緩衝装置５１において、ロッド５６の他端部５６ｃが矢印Ｌ方向に引っ張られると、通常では、図１１で示すようにその緩衝装置５１ごと移動してリンク４７を動作させるが、例えばリンク４７側が何らかの理由によりロックしている場合には、図１２に示すように、ケース５２に対して相対的にロッド５６がばね５７のばね力に抗して矢印Ｌ方向へ移動するようになっている。
【００２２】
前記ロッド５６の他端部５６ｃにはワイヤ５８が連結されており、このワイヤ５８の他端部は、図６に示す駆動源たる例えばモータ５９の図示しない出力部に連結されている。このモータ５９は、内蓋１０における回動軸１２ａ近傍部位に配設されている。また、このモータ５９は、ギアドモータからなるものであり、出力部は低速・高トルクで回転する。そして、このモータ５９の電力供給用のリード線５９ａは、図７に示すように、内蓋１０のリード線導出部１０ａから導出されている。つまり、電力供給用のリード線５９ａは回動軸１２ａ部分から外部に導出されている。このモータ５９は通電されると回転し、その回転に基づいて前記ワイヤ５８を巻き取る。
【００２３】
前記内蓋１０におけるワイヤ５８の途中部には、経路変換用のプーリー６０がブラケット６１により取り付けられており、前記ワイヤ５８はこのプーリー６０の上部を経由する。前記ブラケット６１において上端部には、前記ワイヤ５８のプーリー６０からの外れを防止するための水平な片部からなるストッパ部６１ａが形成されている。また、前記緩衝装置５１における矢印Ｌ方向側の部分には、閉鎖部材たる押し部材４４の閉鎖動作を検知するためのドラム蓋用閉鎖検知手段たるマイクロスイッチ６２（図６参照）が設けられており、これは、そのアクチュエータ６２ａが前記緩衝装置５１のアクチュエータ作動部５６ｂに矢印Ｌ方向において対向する。前記緩衝装置５１がモータ５９により図１１に示す位置まで移動されると、つまり、押し部材４４がドラム蓋１６を閉鎖させると、アクチュエータ作動部５６ｂによりマイクロスイッチ６２がオンされ、これをもって、押し部材４４の閉鎖動作が検知され、この検知をもってドラム蓋１６の閉鎖が検知される。このマイクロスイッチ６２オンに基づいて前記モータ５９が断電されるようになっており、モータ５９が断電されると、押し部材４４へのリンク４７への押し下げ力が解除されるから、ばね４６により押し部材４４が元の状態に復帰される（図１参照）。
【００２４】
図７において、内蓋１０の蓋外板１１には、工具挿通孔６３が形成されており、この工具挿通孔６３の裏側には、図１３及び図１４に示すように、解除レバー６４が設けられている。この解除レバー６４の一端部下面には、先端に弾性爪部６４ａを有する差込軸部６４ｂが形成されていて、これは蓋内板１２に形成されたボス部６５に回動可能に挿通されていて、弾性爪部６４ａにより抜け止めされている。解除レバー６４は他端部６４ｃが矢印Ｍ方向へ回動し得るようになっている。さらに、この解除レバー６４の一端部の回動中心上面には、支柱部６４ｄが形成されており、その上端にはねじ回し用溝６４ｅが形成されている。そして、この解除レバー６４の上端部は前記工具挿通孔６３に回動可能に嵌合されていて、ねじ回し用溝６４ｅがこの工具挿通孔６３から外部に臨んでいる。
【００２５】
前記解除レバー６４の他端部６４ｃは、解除用ワイヤ６６を介して前記内蓋ロック装置１３のロック解除体３６の下部に連結されている。なお、解除用ワイヤ６６は方向変換部材６７ａ、６７ｂにより適宜方向変換されている。図１３に示すように、内蓋１０外部から、工具例えばドライバ６８により、解除レバー６４を矢印Ｍ方向に回動操作すると、ロック解除体３６が矢印反矢印Ｇ方向へ回動されてロック体３７がラッチ１４に対して係合解除可能となる。なお、前記ドラム蓋１６は回転停止時にその開口部１５ｃが前記水槽８の開口部８ａに合致するように位置決めされるようになっている。
【００２６】
さて、上記構成の作用について説明する。図１には、ドラム蓋１６が閉鎖され、且つ、ドラム蓋ロック手段１９によりロックされ、内蓋１０が内蓋ロック装置１３によりロックされた状態が示されている。この状態から内蓋１０を開ける場合、使用者がハンドル２６の握り部２８ｂの全周外面を握って矢印Ｄ方向へ回動操作する。すると、凸部２７ｂが矢印Ｄ´方向へ回動することによりレバー３１が反矢印Ｅ方向へ回動し、ロッド３３が反矢印Ｆ方向へ移動する。これによりロック解除受け部２３が押圧されて補助板１６ｂのロック片２１が被ロック孔２２から外れて、ドラム蓋１６の閉鎖状態のロックが解除される。この解除後はドラム蓋１６の蓋主板１６ａは図示しないばねにより矢印Ｂ方向へ回動し、内蓋１０内面に当接する（図８参照）。
【００２７】
またレバー３１の反矢印Ｅ方向への回動によりロック解除体３６が反矢印Ｇ方向へ回動されてストッパ部３６ｂがロック体３７の被ストッパ部３７ｂから外れて、ロック体３７が矢印Ｈ方向への回動が許容される（図８参照）。この状態では、内蓋１０がまだ開放動作していない。この図８の状態から、図９に示すように内蓋１０が開放されると、矢印Ｈ方向へ回動付勢されているロック体３７がその方向へ回転しながらラッチ１４から外れる。この後、さらに内蓋１０を開放すると図４の状態になる。
【００２８】
この図４の状態から内蓋１０を閉鎖する場合、内蓋１０を矢印Ａ´方向（矢印Ａ方向）へ閉鎖操作する。閉鎖途中の図９の状態を経て、さらに閉鎖操作されると、ロック体３７のロック溝部３７ａの上辺部３７ｃがラッチ１４に遭遇して反矢印Ｈ方向へ回動し、図１０のようにラッチ１４に対してロック体３７のロック溝部３７ａが嵌合する。このとき、ロック体３７の被ストッパ部３７ｂがロック解除体３６のストッパ部３６ｂを通過することで、ロック解除体３６が矢印Ｇ方向へ回動してロック解除体３６のストッパ部３６ｂが被ストッパ部３７ｂと係合する。この結果、内蓋１０の閉鎖がロックされる。このとき、ロック解除体３６のピン押し部３６ｃによりピン４０が反矢印Ｉ方向へ押圧移動され、中間ピン４２を反矢印Ｊ方向へ押す。これによりマイクロスイッチ４１がオンされて、内蓋１０の閉鎖が検知される。
【００２９】
このマイクロスイッチ４１のオンによってモータ５９が通電駆動され、ワイヤ５８及び緩衝装置５１を介して、リンク４７の第１のレバー４８を矢印Ｌ方向へ引っ張る。これにより、第１のレバー４８の一端部が矢印Ｌ方向とは垂直方向へ動作する。これにより、押し部材４４が矢印Ｋ方向へ移動される（図１１参照）。この押し部材４４の移動によりドラム蓋１６の蓋主板１６ａが補助板１６ｂに押し付けられる。このとき、蓋主板１６ａの最先端部１６ｄが、一旦、補助板１６ｂのロック解除受け部２３に乗った状態となり、さらに押されることで、最先端部１６ｄがロック解除受け部２３下側に落ち込み、このときに補助板１６ｂのロック片２１が被ロック孔２２に係合する。矢印Ｌ方向へ移動されていた前記乾燥装置５１のアクチュエータ作動部５６ｂが、マイクロスイッチ６２のアクチュエータ６２ａを押すと、オンして、押し部材４４の閉鎖動作を検知し、この検知によりドラム蓋１６の閉鎖が検知されることになる。この検知に基づいてモータ５９が断電され、図１の状態となる。
【００３０】
このような本実施例によれば、ドラム蓋１６を閉鎖する駆動力を出力するモータ５９を内蓋１０に備えると共に、このモータ５９の駆動力を受けてドラム蓋１６方向へ動作する押し部材４４を内蓋１０に備え、モータ５９の駆動力を該押し部材４４を介してドラム蓋１６に伝達し該ドラム蓋１６を回動支点１７を中心に回動させて自動閉鎖させるドラム蓋自動閉鎖装置４３を設けた。これにより、ドラム蓋１６の閉鎖を使用者の手を煩わせることなく自動的に行うことができて、実用性が向上し、しかも、ドラム蓋１６を確実に閉鎖できる。
【００３１】
また、本実施例によれば、モータ５９を内蓋１０に設けたから、リード線５９ａの配線が容易である。特にモータ５９を内蓋１０の回動軸１２ａの近傍に設けているから、内蓋１０の開放に要する操作力を小さくできる。また、ドラム蓋自動閉鎖装置４３において、リンク４７によりモータ５９の駆動力の作用方向をほぼ垂直に変換して押し部材４４に伝達する構成としたから、動力伝達方向を小さなスペースで変換でき、よって、内蓋１０の薄型化に寄与できる。
【００３２】
さらにまた、モータ５９からリンク４７への動力伝達部材としてワイヤ５８を設けたから、モータ５９の配置位置設定に自由度がある。また本実施例によれば、ドラム蓋自動閉鎖装置４３の閉鎖動作を検知するマイクロスイッチ６２を設けたから、このマイクロスイッチ６２により閉鎖動作検知に基づいて該ドラム蓋自動閉鎖装置４３のモータ５９を断電することができるようにすることが可能となる。
【００３３】
そして、このマイクロスイッチ６２により閉鎖動作が検知されたときにモータ５９の動作を停止（断電）するようにしたから、閉鎖動作を自動的に終了できる。さらに、本実施例によれば、ドラム蓋自動閉鎖装置４３において、押し部材４４とモータ５９を緩衝装置５１を介して連結したから、押し部材４４やリンク４７などが動作不能状態にロックした場合でも、モータ５９の動作が許容されるようになり、該モータ５９のロックを防止できると共に、押し部材４４やリンク４７、さらにはワイヤ５８などの破損を防止できる。
【００３４】
また本実施例によれば、モータ５９のリード線５９ａが内蓋１０の回動軸１２ａ部分から外部に導出される構成としたから、配線が極めて容易であると共に、配線スペースを小さくできる。さらに本実施例によれば、水槽８側に設けられたラッチ１４と、内蓋１０に設けられこの内蓋１０が閉鎖されたときにこのラッチ１４と係合して内蓋１０の閉鎖をロックする内蓋ロック装置１３と、この内蓋ロック装置１３のロック動作で内蓋１０の閉鎖を検知するマイクロスイッチ４１とを設けたから、内蓋１０の閉鎖を確実に検出できる。この場合、マイクロスイッチ４１を動作させる部材である内蓋ロック装置１３は、内蓋１０側にあって、マイクロスイッチ４１は水槽８側にあるから、内蓋１０の閉鎖を確実に検知することができる。つまり、内蓋ロック装置１３が存在する内蓋１０側にマイクロスイッチ４１も存在すると、使用者が内蓋１０開放状態でうっかりマイクロスイッチ４１を触ったり、あるいはうっかり内蓋ロック装置１３を触ったりしたときに、誤って、内蓋１０閉鎖検知がなされることがあるが、本実施例ではそのようなことはない。
【００３５】
そして、本実施例によれば、マイクロスイッチ４１による内蓋１０閉鎖検知結果を、モータ５９の駆動開始（通電）に利用するようにしたから、内蓋１０の確実な閉鎖状態でドラム蓋１６の閉鎖動作を行うことができる。また、本実施例によれば、解除レバー６４を設け、これを内蓋１０外部から操作可能な構成とし、この解除レバー６４と内蓋ロック装置１３のロック解除体３６とを連結したから、ハンドル２６が破損したり動作不能になったりした場合でも、この解除レバー６４を回動操作することにより、内蓋ロック装置１３のロックを解除できる。
【００３６】
つまり、閉鎖状態にある内蓋１０は、通常では、ハンドル２６の開放操作によりロック解除体３６が動作して内蓋１０のロックが解除されるが、ドラム蓋１６が不具合により開かないときには、ロッド３３が十分に移動しないため、レバー３１が十分に動作せずにロック解除体３６がロック体３７をロック解除できないことが考えられる。この場合でも、上記解除レバー６４を操作することにより内蓋１０を容易にロック解除することができる。
【００３７】
さらに、本実施例によれば、内蓋１０にハンドル２６を設け、このハンドル２６の手動操作に基づいてドラム蓋１６の開放を行うようにしたから、モータなどの駆動源を持たない構成で内蓋１０の開放ができる。この場合、ハンドル２６が握り部２８ｂを有する構成としたから、使用者がハンドル２６をしっかりと握って操作でき、内蓋１０を確実に開放操作できる。つまり、ハンドルが単なる平板状であると、手指をハンドルに引っ掛けて該ハンドルを開放操作することになるが、手指が濡れていたり洗剤がついていたりすると、手指がハンドルから滑ってしまうことがあるが、本実施例によれば、上述の握り部２８ｂの全周をしっかりと握ることができて、手が滑ってしまうような不具合をなくすことができる。また、ハンドル２６は基端部材２７と操作部２８とを係合手段２９により連結した構成としたから、まず基端部材２７を内蓋１０に組みつけてから操作部２８を基端部材２７に連結することが可能であり、ハンドル２６の組付け性が良い。
【００３８】
図１５は本発明の第２の実施例を示しており、この実施例においては、ワイヤ５８のたるみを防止するたるみ防止手段に相当するたるみ防止装置７１を設けている。このたるみ防止装置７１は、ブラケット７２に長孔７２ａを形成し、この長孔７２ａに、ワイヤ５８の経路変換用プーリー７３の軸７３ａを回動可能に配置し、この軸７３ａをばね７４により矢印Ｎ方向へ移動付勢する構成としている。これによれば、ワイヤ５８のたるみを防止でき、プーリー７３からのワイヤ５８の脱落をさらに確実に防止できると共に、ワイヤ５８の長さ設定に若干の余裕度を持たせることができる。
【００３９】
本発明は上述した各実施例に限定されるものではなく、本発明の実施例は次のように変更しても良い。すなわち、駆動源としては、エアシリンダや油圧シリンダでも良い。ドラム蓋用閉鎖検知手段及び内蓋閉鎖検知手段としては、光センサや、リミットスイッチでも良い。ハンドルの握り部の断面形状は円形でなくても良く、例えば半円形でも楕円形でも良い。また、リンクの構成は２部材から構成するものではなく、種々の部材の組み合わせでも良い。
【図面の簡単な説明】
【００４０】
【図１】本発明の第１の実施例に係り、ドラム蓋及び内蓋が閉塞状態にある要部の縦断側面図
【図２】ドラム式洗濯機の斜視図
【図３】一部破断のドラム式洗濯機の縦断側面図
【図４】外箱を省略して示す内蓋及びドラム蓋開放状態の斜視図
【図５】内蓋軸支部分の側面図
【図６】蓋外板を取り除いた状態での蓋内板の斜視図
【図７】内蓋の斜視図
【図８】ハンドル操作時の図１相当図
【図９】開放途中（閉塞途中）の図１相当図
【図１０】モータ動作直前状態の図１相当図
【図１１】モータ動作時の図１相当図
【図１２】緩衝装置の作用説明のための図
【図１３】解除レバー部分の縦断側面図
【図１４】解除レバー部分の平面図
【図１５】本発明の第２の実施例を示すたるみ防止装置部分の縦断側面図
【符号の説明】
【００４１】
図面中、８は水槽、８ａは開口部、１０は内蓋、１２ａはレール部、１３は内蓋ロック手段、１４はラッチ、１５はドラム、１５ｃは開口部、１６はドラム蓋、１６ａは蓋主板、１６ｂは補助板、１９はドラム蓋ロック手段、２６はハンドル、２８ｂは握り部、３１はレバー、３３はロッド、３６はロック解除体、３７はロック体、４１はマイクロスイッチ、４３はドラム蓋自動閉鎖装置（自動閉鎖手段）、４４は押し部材、４７はリンク、５１は緩衝装置、５８はワイヤ、５９はモータ（駆動源）、６２はマイクロスイッチ、６４は解除レバー、６６は解除用ワイヤ、７１はたるみ防止装置を示す。
【図１】
0003776922.tif 000002
【図２】
0003776922.tif 000003
【図３】
0003776922.tif 000004
【図４】
0003776922.tif 000005
【図５】
0003776922.tif 000006
【図６】
0003776922.tif 000007
【図７】
0003776922.tif 000008
【図８】
0003776922.tif 000009
【図９】
0003776922.tif 000010
【図１０】
0003776922.tif 000011
【図１１】
0003776922.tif 000012
【図１２】
0003776922.tif 000013
【図１３】
0003776922.tif 000014
【図１４】
0003776922.tif 000015
【図１５】
0003776922.tif 000016